(57)【特許請求の範囲】
【請求項１】
互いのニップ部を搬送される用紙を加熱及び加圧することで用紙に現像剤像を定着させる定着ローラ対と、
前記定着ローラ対と現像剤像を用紙へ転写するプロセス部との間に配置されたガイド本体であって用紙搬送方向の下流側ほど高くなるように水平面に対して傾斜して用紙を前記ニップ部へ案内するガイド部を有するガイド本体、及び前記ガイド本体に対して前記プロセス部の反対側に配置された対向板であって前記ガイド本体の少なくとも前記ガイド部との間に空気の流路を形成するように前記ガイド本体に対向する対向板を有するペーパーガイド部材と、を備え、
前記流路の前記用紙搬送方向における前記ニップ部側の第１端部は、前記ニップ部近傍の空間へ開放され、前記流路における前記第１端部の反対側である第２端部は、外部へ開放され、
前記定着ローラ対は、第１定着ローラ及び前記第１定着ローラの下側に配置された第２定着ローラを有し、
前記ガイド本体は、上下方向に配置されて前記ガイド部を下方から支持する板状の支持部をさらに有し、前記プロセス部に対して前記第２定着ローラの少なくとも一部を遮蔽するように配置され、
前記対向板は、前記ガイド部と前記支持部との間で連続する前記流路を形成するように前記ガイド本体に対向し、
前記支持部及び前記対向板はともに金属製であり、前記支持部は前記対向板よりも厚く構成される、定着装置。
【請求項２】
前記ペーパーガイド部材は、前記ガイド本体及び前記対向板のうち少なくとも一方の前記流路側の面に、単一又は複数のフィンを有する、請求項１に記載の定着装置。
【請求項３】
前記フィンは、上下方向に延びる、請求項２に記載の定着装置。
【請求項４】
前記ガイド本体に、断熱材又は熱反射シートが装着される、請求項１から３のいずれかに記載の定着装置。
【請求項５】
前記支持部は、耐熱性樹脂で構成される、請求項１から４のいずれかに記載の定着装置。
【請求項６】
請求項１から５のいずれかに記載の定着装置を備える画像形成装置。
【発明の詳細な説明】
【技術分野】
【０００１】
この発明は、ニップ部を搬送される用紙を加熱及び加圧することで用紙に現像剤像を定着させる定着装置、及びこれを備える画像形成装置に関する。
【背景技術】
【０００２】
電子写真方式の画像形成装置は、プロセス部及び定着装置を備える。プロセス部は、現像剤像を形成して用紙に転写する。現像剤像を転写された用紙は、定着装置へ搬送される。定着装置は、定着ローラ対を備え、定着ローラ対のニップ部において用紙を加熱及び加圧することで現像剤像を用紙に固着させる。また、定着装置は、定着ローラ対とプロセス部との間にペーパーガイド部材を備える。ペーパーガイド部材は、プロセス部を経た用紙をニップ部へ案内するガイド部を有する。
【０００３】
定着ローラ対から輻射された熱によってペーパーガイド部材が熱せられると、ペーパーガイド部材からの輻射熱によってプロセス部の温度が上昇し、これによって、プロセス部の劣化及び画像品質の低下という問題が生じる虞がある。
【０００４】
これに関して、定着ローラ対から配線通路への熱の伝達を抑制するために、ハウジング部材に一体形成されたガイド部であって用紙搬送方向の上流側へ延出したガイド部の裏面側のスペースに配線通路を設けた定着装置が知られている（例えば、特許文献１参照。）。
【先行技術文献】
【特許文献】
【０００５】
【特許文献１】特開２００７−３０４１９９公報
【発明の概要】
【発明が解決しようとする課題】
【０００６】
しかし、特許文献１に記載の従来の定着装置では、ガイド部及びハウジング部材の側板によって上面及び側面を閉鎖されたスペースに配線通路が設けられるので、このスペースでは空気が温度上昇することで上方へ対流しようとしても、上面及び側面に逃げ道がなく、ほとんど対流することができない。このため、従来の定着装置では、配線通路の設けられたスペースに熱がこもり易く、定着ローラ対からの輻射熱の伝達を長期間にわたって抑制することはできない。
【０００７】
この発明の目的は、定着ローラ対からプロセス部への輻射による熱の伝達を長期間にわたって抑制することができる定着装置及び画像形成装置を提供することにある。
【課題を解決するための手段】
【０００８】
この発明の定着装置は、定着ローラ対、及びペーパーガイド部材を備える。定着ローラ対は、互いのニップ部を搬送される用紙を加熱及び加圧することで用紙に現像剤像を定着させる。ペーパーガイド部材は、定着ローラ対と現像剤像を用紙へ転写するプロセス部との間に配置されたガイド本体であって用紙搬送方向の下流側ほど高くなるように水平面に対して傾斜して用紙をニップ部へ案内するガイド部を有するガイド本体、及びガイド本体に対してプロセス部の反対側に配置された対向板であってガイド本体の少なくともガイド部との間に空気の流路を形成するようにガイド本体に対向する対向板を有する。流路の用紙搬送方向におけるニップ部側の第１端部は、ニップ部近傍の空間へ開放される。流路における第１端部の反対側である第２端部は、定着装置の外部へ開放される。
【０００９】
この構成では、定着ローラ対から発せられた輻射熱によって流路内の空気が温度上昇すると、この温度上昇した空気が上方へ対流して第１端部から流路の外部へ排出される。また、第２端部からは流路内へ、定着装置の外部の空気が流入する。このため、流路内に熱がこもることがなく、流路が長期間にわたって断熱層として機能する。定着ローラ対からガイド本体への輻射による熱の伝達が長期間にわたって抑制され、ガイド本体からプロセス部への輻射による熱の伝達も長期間にわたって抑制される。また、流路内の温度上昇した空気がニップ部近傍へ排出されるので、用紙との接触による定着ローラ対の温度低下が抑制され、省エネ効果が奏される。
【００１０】
上述の構成において、定着ローラ対は、第１定着ローラ及び第１定着ローラの下側に配置された第２定着ローラを有し、ガイド本体は、上下方向に配置されてガイド部を下方から支持する板状の支持部をさらに有し、プロセス部に対して第２定着ローラの少なくとも一部を遮蔽するように配置され、対向板は、ガイド部と支持部との間で連続する流路を形成するようにガイド本体に対向する構成とすることができる。
【００１１】
ガイド部及び支持部の全域にわたって流路が上下方向に連続するので、流路内の空気が温度上昇した場合に円滑に自然対流を起こして流路の外部へ排出される。よって、流路による断熱効果が長期間にわたって維持される。また、支持部の下端部側である第２端部と用紙搬送方向におけるニップ部側の第１端部とにわたって流路が形成されるように対向板が設けられるので、ペーパーガイド部材は上下方向の全域にわたって流路による断熱効果を有する。さらに、ガイド本体がプロセス部に対して第２定着ローラの少なくとも一部を遮蔽するように配置されるので、ペーパーガイド部材によって、第２定着ローラからプロセス部への輻射による熱の伝達が抑制される。
【００１２】
さらに、ペーパーガイド部材は、ガイド本体及び対向板のうち少なくとも一方の流路側の面に、単一又は複数のフィンを有することが好ましい。ガイド本体及び対向板のうち少なくとも一方がフィンを有することで、ガイド本体及び対向板のうちフィンを有する部材と流路内の空気との熱交換効率が高まり、ガイド本体及び対向板のうちフィンを有する部材の熱が効率良く流路内の空気へ放熱される。流路内の空気は温度上昇にともなって対流して外部の空気と入れ替わる。このため、ペーパーガイド部材による断熱効果が高まる。また、プロセス部において定着ローラ対よりも低温ではあるが熱が発生した場合に、ガイド本体がフィンを有することで、プロセス部の熱がガイド本体を介して流路内の空気へ放熱されやすくなり、プロセス部の温度上昇が抑制される。なお、フィンを有する部材は熱の良導体である金属製であることが好ましい。
【００１３】
また、フィンは、上下方向に延びるように構成されることが好ましい。フィンが上下方向に延びることで、フィンが流路内の空気の対流の妨げにならないので、流路内の空気が入れ替わり易くなる。
【００１４】
さらに、ガイド本体に、断熱材又は熱反射シートが装着されることが好ましい。これによって、定着ローラ対からプロセス部への輻射による熱の伝達が、より抑制される。
【００１５】
また、支持部は、耐熱性樹脂で構成することができる。熱の不導体である耐熱性樹脂で支持部を構成することで、定着ローラ対からプロセス部への輻射による熱の伝達が、より抑制される。
【００１６】
さらに、支持部及び対向板はともに金属製であり、支持部は対向板よりも厚く構成することができる。支持部を対向板よりも厚く構成することで、支持部の厚さ方向において温度勾配が生じる。このため、定着ローラ対からプロセス部への輻射による熱の伝達が、より抑制される。
【００１７】
この発明の画像形成装置は、上述のいずれかの構成の定着装置を備える。流路内の空気が温度上昇すると、この温度上昇した空気が上方へ対流して第１端部から流路の外部へ排出され、流路内に熱がこもりにくいので、流路が断熱層として長期間にわたって高く機能することができる。
【発明の効果】
【００１８】
この発明によれば、定着ローラ対からプロセス部への輻射による熱の伝達を長期間にわたって抑制することができる。
【図面の簡単な説明】
【００１９】
【図１】この発明の実施形態に係る定着装置を備えた画像形成装置の概略の構成を示す正面断面図である。
【図２】定着装置の概略の正面断面図である。
【図３】他の実施形態に係る定着装置の概略の正面断面図である。
【図４】定着装置に備えられるペーパーガイド部材の他の構成例を示す図である。
【図５】図４に示すガイド本体の斜視図である。
【図６】ペーパーガイド部材のさらに他の構成例を示す図である。
【図７】ペーパーガイド部材のさらに他の構成例を示す図である。
【図８】ペーパーガイド部材のさらに他の構成例を示す図である。
【発明を実施するための形態】
【００２０】
以下に、この発明を実施するための形態について、図面に基づいて説明する。図１に示すように、画像形成装置１は、定着装置１０、及びプロセス部２０を備え、電子写真方式の画像形成プロセスを経て、用紙に画像を形成する。
【００２１】
プロセス部２０は、感光体ドラム２１を備え、感光体ドラム２１の周囲にさらに、帯電器２２、露光器２３、現像器２４、転写器２５、及びクリーニングユニット２６を備えている。
【００２２】
プロセス部２０では、帯電器２２によって感光体ドラム２１の周面が所定の電位に帯電され、画像データに基づいて変調されたレーザ光が露光器２３によって感光体ドラム２１の周面へ照射され、これによって感光体ドラム２１の周面に静電潜像が形成される。また、現像器２４によって感光体ドラム２１の周面へトナー（現像剤）が供給されることで、静電潜像がトナー像（現像剤像）に可視像化される。
【００２３】
感光体ドラム２１と転写器２５とが対向する転写領域へは、図示しない用紙トレイから１枚ずつ用紙が供給される。転写器２５に所定の電位が印加されることで、感光体ドラム２１の周面に担持されたトナー像は、用紙へ転写される。感光体ドラム２１の周面に残留したトナーは、クリーニングユニット２６によって回収される。
【００２４】
トナー像を担持した用紙は、定着装置１０へ向けて搬送される。転写領域及び定着装置１０を経由する用紙搬送路３０には、用紙を案内するガイド部材３１，３２が配置されている。
【００２５】
定着装置１０は、第１定着ローラ１１及び第２定着ローラ１２からなる定着ローラ対、クリーニングローラ１３、ウェブローラ１４、及びペーパーガイド部材４０を備えている。第２定着ローラ１２は、第１定着ローラ１１の下に配置されている。
【００２６】
第１定着ローラ１１は、加熱手段としてヒータランプ１１１，１１２を有し、内部から加熱される。第２定着ローラ１２は、加熱手段としてヒータランプ１２１を有し、内部から加熱される。第１定着ローラ１１と第２定着ローラ１２とは互いに圧接している。第１定着ローラ１１及び第２定着ローラ１２は、第１定着ローラ１１と第２定着ローラ１２とのニップ部１５を搬送される用紙を加熱及び加圧することで、トナー像を用紙に堅牢に定着させる。トナー像が定着した用紙は、図示しない排紙トレイへ排出される。
【００２７】
この実施形態では、第１定着ローラ１１は加熱ローラであり、第２定着ローラ１２は第１定着ローラ１１に圧接する加圧ローラである。なお、定着ベルト方式の定着ローラ対を採用した場合は、第１定着ローラ１１には定着ベルトが架け渡され、第１定着ローラ１１と第２定着ローラ１２とが定着ベルトを挟んで圧接する。よって、ニップ部１５は、厳密には、定着ベルトと第２定着ローラ１２との圧接部である。
【００２８】
クリーニングローラ１３は、第１定着ローラ１１の周面に付着したトナーを回収する。ウェブローラ１４は、クリーニングローラ１３の周面に付着したトナーを回収することで、クリーニングローラ１３のトナー回収能力を高く維持する。
【００２９】
ペーパーガイド部材４０は、プロセス部２０と定着装置１０との間であって用紙搬送方向９１における第２定着ローラ１２の上流側近傍に配置されている。ペーパーガイド部材４０は、転写領域において感光体ドラム２１からトナー像を転写されてガイド部材３２に沿って搬送されてきた用紙を、ニップ部１５へ案内する。
【００３０】
図２以降の図では、クリーニングローラ１３及びウェブローラ１４の記載を省略している。第１定着ローラ１１及び第２定着ローラ１２は、ハウジング部材１６に内蔵されている。ハウジング部材１６は、用紙搬送方向９１におけるニップ部１５の上流側及び下流側に、用紙通過孔を有している。
【００３１】
ペーパーガイド部材４０は、ガイド本体５０及び対向板６０を備えている。一例として、ガイド本体５０及び対向板６０は、ともに金属製である。この実施形態では、ガイド本体５０は、用紙をニップ部１５へ案内するガイド部５１と同等である。ガイド部５１は、板状部材であって用紙搬送方向９１の下流側ほど高くなるように水平面に対して傾斜している。ガイド部５１は、プロセス部２０に対して第２定着ローラ１２の少なくとも一部を遮蔽する。
【００３２】
対向板６０は、ガイド本体５０に対してプロセス部２０の反対側に配置されている。対向板６０は、ガイド本体５０との間に空気の流路７０を形成するように、ガイド本体５０に対向配置されている。流路７０は、ガイド本体５０、対向板６０、ハウジング部材１６の前側板及び後側板によって、ダクト状に形成されている。流路７０の用紙搬送方向９１におけるニップ部１５側の第１端部７１は、ニップ部１５近傍の空間へ開放されている。また、流路７０における第１端部７１の反対側の第２端部７２は、ハウジング部材１６の外部へ開放されている。
【００３３】
第２定着ローラ１２から発せられた輻射熱によって流路７０内の空気が温度上昇すると、この温度上昇した空気が、上方即ち第１端部７１側へ対流し、第１端部７１から流路７０の外部へ排出される。このように、流路７０内に熱がこもりにくいので、流路７０が断熱層として長期間にわたって高く機能することができ、第２定着ローラ１２からガイド本体５０への輻射による熱の伝達が長期間にわたって抑制される。これによってガイド本体５０の温度上昇が長期間にわたって抑制されるので、ガイド本体５０からプロセス部２０への輻射による熱の伝達も長期間にわたって抑制される。
【００３４】
また、流路７０内の温度上昇した空気がニップ部１５近傍へ排出されるので、第１定着ローラ１１及び第２定着ローラ１２が用紙に圧接したことによる第１定着ローラ１１及び第２定着ローラ１２の温度低下が抑制される。このため、第１定着ローラ１１及び第２定着ローラ１２を加熱するための電力が少なくて済み、省エネ効果が奏される。
【００３５】
図３に、他の実施形態に係る定着装置１０Ａの概略の構成を示す。定着装置１０Ａは、ペーパーガイド部材４０Ａの形状を除いて定着装置１０と同様に構成されている。
【００３６】
ペーパーガイド部材４０Ａは、ガイド本体５０Ａ及び対向板６０Ａを備えている。
【００３７】
ガイド本体５０Ａは、ガイド部５１Ａ及び支持部５２Ａを有している。ガイド部５１Ａは、板状部材であって用紙搬送方向９１の下流側ほど高くなるように水平面に対して傾斜しており、用紙をニップ部１５へ案内する。支持部５２Ａは、板状部材であってガイド部５１Ａの下方に上下方向に配置され、ガイド部５１Ａを下方から支持している。一例として、支持部５２Ａは、用紙搬送方向９１においてガイド部５１Ａの上流側端部に連結されている。ガイド部５１Ａと支持部５２Ａとによって、屈曲した１枚の壁面が形成される。ガイド本体５０Ａは、プロセス部２０に対して第２定着ローラ１２の少なくとも一部を遮蔽するように配置されている。この実施形態では、ガイド本体５０Ａは、プロセス部２０に対して第２定着ローラ１２の略全てを遮蔽するように配置されている。
【００３８】
対向板６０Ａは、ガイド本体５０Ａに対してプロセス部２０の反対側に配置されている。対向板６０Ａは、ガイド部５１Ａと支持部５２Ａとの間で連続する流路７０を形成するようにガイド本体５０Ａの略全域に対向配置されている。流路７０は、ガイド本体５０Ａ、対向板６０Ａ、ハウジング部材１６の前側板及び後側板によって、ダクト状に形成されている。流路７０の用紙搬送方向９１におけるニップ部１５側の第１端部７１は、ニップ部１５近傍の空間へ開放されている。また、流路７０における第１端部７１の反対側であって支持部５２Ａの下端部側の第２端部７２は、ハウジング部材１６の外部へ開放されている。流路７０は、第２端部７２と第１端部７１との間で連通している。
【００３９】
流路７０が第２端部７２から第１端部７１までガイド部５１Ａ及び支持部５２Ａの全域にわたって上下方向に連続しているので、流路７０内の空気が温度上昇した場合に円滑に自然対流を起こして流路７０の外部へ排出される。よって、流路７０による断熱効果が長期間にわたって維持される。また、支持部５２Ａの下端部側の第２端部７２と用紙搬送方向９１におけるニップ部１５側の第１端部７１とにわたって流路７０が形成されるように対向板６０Ａが設けられるので、ペーパーガイド部材４０Ａは上下方向の全域にわたって流路７０による断熱効果を有する。さらに、ガイド本体５０Ａがプロセス部２０に対して第２定着ローラ１２の少なくとも一部を遮蔽するように配置されるので、ペーパーガイド部材４０Ａによって、第２定着ローラ１２からプロセス部２０への輻射による熱の伝達が抑制される。
【００４０】
また、ペーパーガイド部材４０Ａが第２定着ローラ１２から輻射熱を受けた場合に、流路７０内の温度上昇した空気は対流によって第１端部７１から排出されるとともに、第２端部７２が開放されていることで、第２端部７２から流路７０内へハウジング部材１６の外部の空気が流入する。よって、第２端部７２が開放されていない場合と比較して、流路７０内へ空気が流入しやすくなり流路７０内に熱がこもりにくくなるので、流路７０による断熱効果がより長期間にわたって維持される。
【００４１】
図４に示すように、ペーパーガイド部材４０Ａは、複数のフィン５３Ａを備えることが好ましい。フィン５３Ａは、熱の良導体である金属製であり、支持部５２Ａの流路７０側の面に、水平方向において所定間隔おきに複数設けられている。図５に示すように、ファイン５３Ａは、上下方向に延びるように設けられている。なお、図５では、図を見やすくするために、対向板６０Ａを２点鎖線で記載している。支持部５２Ａは、上述のように熱の良導体である金属製である。
【００４２】
支持部５２Ａにフィン５３Ａが設けられることで、支持部５２Ａと流路７０内の空気との熱交換効率が高まり、支持部５２Ａの熱が効率良く流路７０内の空気へ放熱される。流路７０内の空気は温度上昇にともなって対流して外部の空気と入れ替わる。このため、ペーパーガイド部材４０Ａによる断熱効果が高まる。
【００４３】
また、フィン５３Ａが上下方向に延びることで、フィン５３Ａが流路７０内の空気の対流の妨げにならないので、流路７０内の空気がハウジング部材１６の外部の空気と入れ替わり易くなる。
【００４４】
さらに、第１定着ローラ１及び第２定着ローラ１２よりも低温ではあるがプロセス部２０において熱が発生した場合に、支持部５２Ａがフィン５３Ａを有することで、プロセス部２０の熱が支持部５２Ａを介して流路７０内の空気へ放熱されやすくなり、プロセス部２０の温度上昇が抑制される。
【００４５】
なお、フィン５３Ａが単一のみ備えられた場合でも、ガイド本体５０Ａと流路７０内の空気との熱交換効率が高まり、ペーパーガイド部材４０Ａによる断熱効果が高まるという効果が奏される。また、フィン５３Ａは、対向板６０Ａの流路７０側の面に設けることもでき、この場合も、対向板６０Ａと流路７０内の空気との熱交換効率が高まり、ペーパーガイド部材４０Ａによる断熱効果が高まるという効果が奏される。
【００４６】
さらに、図６に示すように、フィン５３Ａは、支持部５２Ａ及び対向板６０Ａの両方のそれぞれの流路７０側の面に設けられていてもよい。これによって、支持部５２Ａ及び対向板６０Ａと流路７０内の空気との熱交換効率が高まり、支持部５２Ａ及び対向板６０Ａの熱が効率良く流路７０内の空気へ放熱される。このため、ペーパーガイド部材４０Ａによる断熱効果がより高まる。
【００４７】
図７に示すように、ガイド本体４０Ａに、断熱材８１，８２又は熱反射シートが装着されることが好ましい。断熱材８１は、ガイド部５１Ａの流路７０側の面に装着される。断熱材８２は、支持部５２Ａのプロセス部２０側の面に装着されるが、流路７０側の面に装着することもできる。断熱材８１，８２の材質の例として、グラスウール、ロックウール、セラミックファイバが挙げられる。これによって、ペーパーガイド部材４０Ａによる断熱効果がより高まり、第２定着ローラ１２からプロセス部２０への輻射による熱の伝達が、より抑制される。
【００４８】
また、支持部５２Ａは、耐熱性樹脂又はセラミックで構成することができる。耐熱性樹脂の例として、ＰＢＴ（ポリブチレンテレフタレート）、ＰＦ（フェノール）、ＰＥＴ（ポリエチレンテレフタレート）、及びＰＰＳ（ポリフェニレンサルファイド）が挙げられる。セラミックの例として、断熱用アルミナ系の多孔質セラミックス、具体的には、ＡＺＰ−５０、ＡＺＰＷ４０が挙げられる。熱の不導体である耐熱性樹脂で支持部５２Ａを構成することで、ペーパーガイド部材４０Ａによる断熱効果がより高まり、第２定着ローラ１２からプロセス部２０への輻射による熱の伝達が、より抑制される。
【００４９】
なお、断熱材８１，８２及びフィン５３Ａの両方を備えるように構成することもできる。
【００５０】
図８に示すように、支持部５２Ａ及び対向板６０Ａはともに金属製であり、支持部５２Ａは対向板６０Ａよりも厚く構成することができる。支持部５２Ａを対向板６０Ａよりも厚く構成することで、支持部５２Ａの厚さ方向において温度勾配が生じる。このため、ペーパーガイド部材４０Ａによる断熱効果がより高まり、第２定着ローラ１２からプロセス部２０への輻射による熱の伝達が、より抑制される。
【００５１】
なお、支持部５２Ａ及び対向板６０Ａはともに金属製であり、支持部５２Ａは対向板６０Ａよりも厚く構成し、さらに断熱材８１，８２及びフィン５３Ａを備えるように構成することもできる。
【００５２】
また、フィン５３Ａは、ガイド部５１Ａの流路７０側の面に設けることもできる。これによって、ガイド部５１Ａと流路７０内の空気との熱交換効率が高まる。
【００５３】
さらに、流路７０の第２端部７２は、ハウジング部材１６の外部に開放されていることに限定されない。第２端部７２が閉塞している場合でも、流路７０内の空気は温度上昇によって対流することで第１端部７１から排出される。但し、第２端部７２が開放されている方が流路７０内の空気が入れ替わり易くなるので好ましい。
【００５４】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５５】
１  画像形成装置
１０，１０Ａ  定着装置
１１  第１定着ローラ
１２  第２定着ローラ
１５  ニップ部
２０  プロセス部
３０  用紙搬送路
４０，４０Ａ  ペーパーガイド部材
５１，５１Ａ  ガイド部
５２Ａ  支持部
５３Ａ  フィン
６０，６０Ａ  対向板
７０  流路
７１  第１端部
７２  第２端部
８１，８２  断熱材
９１  用紙搬送方向
【図１】
0005752498.tif 000002
【図２】
0005752498.tif 000003
【図３】
0005752498.tif 000004
【図４】
0005752498.tif 000005
【図５】
0005752498.tif 000006
【図６】
0005752498.tif 000007
【図７】
0005752498.tif 000008
【図８】
0005752498.tif 000009